(57)【要約】【課題】  従来のシート給送装置では、シート収容手段上のシートの収容量が多くなった場合には１個の接触子をシートの先端部に接触させることにより、満杯状態からシートが無い状態までを検出するためには、接触子の長さを長くする必要があった。しかも、シートの上側から下方へ向けて接触子を設けた場合には、シートが給送される都度、接触子が大きく回動するために接触子を逃がすスペースが必要であったため、そのようなスペースと搬送手段のローラ，ローラ軸等が干渉する可能性があったため、あまり接触子を長くすることができなかった。【解決手段】  原稿トレイ２２に収容されているシート状の原稿を検出する接触式のセンサを、原稿トレイ２２の上下に配置された上部原稿検出器Ｓ１′と下部原稿検出器Ｓ１とに分割し、原稿トレイ２２に収容されているシート状の原稿をそれぞれのアクチュエータＳ１ａ′及びＳ１ａの双方で検出するようにした。【選択図】        図１
2005060068.tif 000002
【特許請求の範囲】
【請求項１】
複数のシートを積層した状態で収容するシート収容手段と、該シート収容手段に収容されているシートの最上層のシートを順次的に取り出して搬送路へ給送するシート給送手段と、前記シート収容手段に収容されているシートに接触する接触子を有し、該接触子が前記シート収容手段に収容されているシートに接触することによりシートの有無を検出するシート検出手段とを備えたシート給送装置において、
前記接触子は、前記シート収容手段よりも高い位置から下方へ延出された第１の接触子と、前記シート収容手段よりも低い位置から上方へ延出された第２の接触子とを含むことを特徴とするシート給送装置。
【請求項２】
前記シート検出手段は、前記シート収容手段よりも高い位置に配置された第１のシート検出器と、前記シート収容手段よりも低い位置に配置された第２のシート検出器とを含み、
前記第１の接触子が前記第１のシート検出器に、前記第２の接触子が前記第２のシート検出器にそれぞれ備えられていること
を特徴とする請求項１に記載のシート給送装置。
【請求項３】
前記第１の接触子が前記シート収容手段に収容されているシートを検出する第１の検出領域の一部と、前記第２の接触子が前記シート収容手段に収容されているシートを検出する第２の検出領域の一部とが重複するように、前記第１，第２の接触子が形成されていることを特徴とする請求項１又は２のいずれかに記載のシート給送装置。
【請求項４】
前記シート収容手段に収容されたシートの最上面の高さを検出する高さ検出手段と、
前記シート収容手段を所定範囲内で所定速度で昇降させる昇降手段と、
前記高さ検出手段の検出結果に応じて前記昇降手段を制御することにより、前記第１の検出領域及び前記第２の検出領域内で前記シート収容手段に収容されているシートの最上面の高さが前記シート給送手段がシートを取り出す高さ位置になるように前記シート収容手段の位置を維持する制御手段と
を更に備えたことを特徴とする請求項１乃至３のいずれかひとつに記載のシート給送装置。
【請求項５】
前記第１の接触子による検出結果と前記第２の接触子による検出結果とに基づいて、前記シート収容手段に収容されているシートの量を判断するシート量判断手段を更に備えたことを特徴とする請求項１乃至４のいずれかひとつに記載のシート給送装置。
【請求項６】
前記シート収容手段が前記所定範囲内の下限位置に位置しているか否かを検出するシート収容手段位置検出手段と、
該シート収容手段位置検出手段が前記シート収容手段が最下位置に位置していることを検出しており、前記シート量判断手段が前記シート収容手段に収容されているシートの量が前記第１の検出領域内では検出されない量であると判断した場合に、前記昇降手段を制御して前記シート収容手段を前記所定速度よりも高速で上昇させる制御手段と
を更に備えたことを特徴とする請求項５に記載のシート給送装置。
【請求項７】
請求項１乃至６のいずれかに記載のシート給送装置を備えたことを特徴とする画像読取装置。
【請求項８】
請求項１乃至６のいずれかひとつに記載のシート給送装置を備えたことを特徴とする画像形成装置。
【請求項９】
請求項７に記載の画像読取装置を備えたことを特徴とする画像形成装置。
【請求項１０】
請求項５に記載の画像読取装置と、
該画像読取装置が読み取った画像及び外部から入力された画像のデータを記憶する記憶手段と、
該記憶手段に記憶されているデータに基づいて画像形成を行なう画像形成手段と、
前記シート量判断手段が判断した前記シート収容手段に収容されているシートの量に応じて、前記画像読取装置が読み取った画像のデータを記憶するための前記記憶手段の割当容量を設定すると共に、前記画像読取装置が読み取った画像のデータに対する割当容量が所定値以下である場合に外部からの画像の入力を許可する制御手段と
を備えたことを特徴とする画像形成装置。
【発明の詳細な説明】
【技術分野】
【０００１】
本発明は、シート状の原稿の画像を読み取るために、原稿の画像が形成されたシートを原稿トレイから供給しつつ搬送することにより、シート上に形成されている原稿の画像を読み取らせるシート給送装置に関し、またそのようなシート給送装置を備えた画像読取装置及び画像形成装置に関する。
【背景技術】
【０００２】
原稿の画像が形成されたシートを多枚数原稿トレイに積層して収容させることによりセットしておき、この原稿トレイからシートを画像読取装置へ自動的に順次搬送し、シート上に形成された原稿の画像を順次的に読み取らせる原稿読取装置が近年の画像形成装置等に組み込まれていることが多い。このような原稿読取装置が組み込まれている画像形成装置等では、効率的な原稿の読み取り、画像形成が行なえるようになっている。また更に一方ではデジタル技術の進歩に伴って、原稿からの画像の読み取り及びその結果の電子データへの変換、更にそのようにして得られた電子データからの画像形成の速度が益々高速化している（特許文献１，２等参照）。
【０００３】
このような事情から、より多数枚のシート状の原稿を高速処理するために、上述のような原稿読取装置では原稿トレイに一度に収容させることができる原稿の枚数が 100乃至 200枚程度と非常に多くなっている。また、原稿読取装置の原稿搬送部の改良・進歩に伴って搬送することが可能な原稿の種類も多様化している。
【特許文献１】特開平５−９４０６３号公報
【特許文献２】特開平７−３０１９６２号公報
【特許文献３】特開平１１−１９９０６５号公報
【発明の開示】
【発明が解決しようとする課題】
【０００４】
ところで、上述のような原稿の画像が形成されたシートを多枚数原稿トレイにセット（収容）して供給・搬送し、原稿の画像を画像読取装置に読み取らせる原稿読取装置では、原稿トレイにセットされたシートの最上部の１枚のみを取り出して（ピックアップして）画像読取装置へ供給・搬送する必要があるため、原稿トレイに昇降機能（上下方向への移動機能）を備えさせた昇降トレイが用いられる（特許文献３参照）。このような昇降トレイには、昇降トレイ自身の上下の移動範囲内において、昇降トレイ上にシートが正しくセットされているか否かを検出するシート検出器（原稿検出器）が備えられており、昇降トレイにシートがセットされている場合には更に昇降トレイの奥の正規の位置にまでシートが挿入されていて正しくセットされているか否かをも検出できるようになっている。
【０００５】
通常、上述のようなシート検出器は従来一般的な固定された原稿トレイであっても、上述のような昇降機能を有する昇降トレイであっても、トレイの下側又は上側に接触式のセンサとして取り付けられており、このセンサの棒状の接触子がシートの先端部に接触してシートが正しくセットされているか否かを検出する構成が採られている。
【０００６】
ところが、原稿トレイにセット可能なシートの量を多くした場合には図１５及び図１６に示すように、センサの接触子の長さを長くする必要が生じる。具体的には、図１５に示すように原稿トレイ２２の上側にセンサＳ１′を備える場合には、接触子Ｓ１ａ′の動作範囲をかなりの程度まで大きくする、換言すれば接触子Ｓ１ａ′の長さを長くする必要が生じ、接触子Ｓ１ａ′と呼込ローラＲ１，分離ローラ対Ｒ２，Ｒ２ａ及び分離ローラ軸との間で干渉が発生する。一方、図１６に示すように原稿トレイ２２の下側にセンサＳ１を備える場合には、接触子Ｓ１ａの動作範囲は比較的小さくて済むが、カールしたシートＳＲが存在するような場合には、原稿トレイ２２上のシート束ＳＢの量が少なくなって原稿トレイ２２が上昇した状態ではシートの検出ができなくなって誤検知が発生する虞がある。また、図示しないが、原稿トレイの上側にセンサを備えた場合でも、シートの枚数が少なくなり、しかもシートがカールしているような場合にはシートを検出ができなくなって誤検知が発生する虞がある。
【０００７】
一方、原稿トレイにセットされているシートの上面側から下面側へ、又は逆に下面側から上面側へ光を投射してシートを検出するように構成された光学式のセンサも実用化されている。しかしこのような光学式のセンサをシート検出器として用いた場合には、多種多様な種類のシートの検出を確実に行なわせるための調整が困難であると共に、透明なＯＨＰ用紙は勿論のこと、一部に半透明，透明の部分を有するシートに対しては使用できないという問題がある。
【０００８】
本発明は以上のような事情に鑑みてなされたものであり、端的には、接触式のシート検出器のセンサの接触子を原稿トレイの上下に分割して設けることにより、上述のような問題の解決を可能とすると共に、更に従来の接触式のセンサでは行ない得なかった種々の制御をも可能にしたシート給送装置の提供を主たる目的とする。また本発明は、そのようなシート給送装置を備えた画像読取装置及びそのような画像読取装置を備えた画像形成装置の提供を目的とする。
【課題を解決するための手段】
【０００９】
本発明に係るシート給送装置は、複数のシートを積層した状態で収容するシート収容手段と、該シート収容手段に収容されているシートの最上層のシートを順次的に取り出して搬送路へ給送するシート給送手段と、前記シート収容手段に収容されているシートに接触する接触子を有し、該接触子が前記シート収容手段に収容されているシートに接触することによりシートの有無を検出するシート検出手段とを備えたシート給送装置において、前記接触子は、前記シート収容手段よりも高い位置から下方へ延出された第１の接触子と、前記シート収容手段よりも低い位置から上方へ延出された第２の接触子とを含むことを特徴とする。
【００１０】
このような本発明のシート給送装置では、シート収容手段の上下両側に分割された接触子それぞれがシート収容手段に収容されているシートの有無を検出し、それぞれの検出結果を組み合わせて種々の判断が行なわれ、この判断結果に従って種々の制御が行なわれる。
【００１１】
また本発明に係るシート給送装置は、上述の発明において、前記シート検出手段は、前記シート収容手段よりも高い位置に配置された第１のシート検出器と、前記シート収容手段よりも低い位置に配置された第２のシート検出器とを含み、前記第１の接触子が前記第１のシート検出器に、前記第２の接触子が前記第２のシート検出器にそれぞれ備えられていることを特徴とする。
【００１２】
このような本発明のシート給送装置では、シート収容手段の上下両側にそれぞれ配置されたシート検出器に備えられた接触子それぞれがシート収容手段に収容されているシートの有無を検出し、それぞれの検出結果を組み合わせて種々の判断が行なわれ、この判断結果に従って種々の制御が行なわれる。
【００１３】
更に本発明に係るシート給送装置は、上述の各発明において、前記第１の接触子が前記シート収容手段に収容されているシートを検出する第１の検出領域の一部と、前記第２の接触子が前記シート収容手段に収容されているシートを検出する第２の検出領域の一部とが重複するように、前記第１，第２の接触子が形成されていることを特徴とする。
【００１４】
このような本発明のシート給送装置では、両接触子それぞれが検出する領域それぞれの一部が重複しているので、シート収容手段に収容されているシートを少なくともいずれかの接触子が検出する。
【００１５】
更に本発明に係るシート給送装置は、上述の各発明において、前記シート収容手段に収容されたシートの最上面の高さを検出する高さ検出手段と、前記シート収容手段を所定範囲内で所定速度で昇降させる昇降手段と、前記高さ検出手段の検出結果に応じて前記昇降手段を制御することにより、前記第１の検出領域及び前記第２の検出領域内で前記シート収容手段に収容されているシートの最上面の高さが前記シート給送手段がシートを取り出す高さ位置になるように前記シート収容手段の位置を維持する制御手段とを更に備えたことを特徴とする。
【００１６】
このような本発明のシート給送装置では、シート収容手段が多量のシートを収容している場合にも、シート収容手段に収容されているシートの最上部の高さが、シート給送手段がシートを取り出す予め定められている高さに維持される。
【００１７】
更に本発明に係るシート給送装置は、上述の各発明において、前記第１の接触子による検出結果と前記第２の接触子による検出結果とに基づいて、前記シート収容手段に収容されているシートの量を判断するシート量判断手段を更に備えたことを特徴とする。
【００１８】
このような本発明のシート給送装置では、両接触子の検出結果を組合せて判断することにより、シート収容手段に収容されているシートの量が大まかにではあるが判断可能になる。
【００１９】
更に本発明に係るシート給送装置は、上述の発明において、前記シート収容手段が前記所定範囲内の下限位置に位置しているか否かを検出するシート収容手段位置検出手段と、該シート収容手段位置検出手段が前記シート収容手段が最下位置に位置していることを検出しており、前記シート量判断手段が前記シート収容手段に収容されているシートの量が前記第１の検出領域内では検出されない量であると判断した場合に、前記昇降手段を制御して前記シート収容手段を前記所定速度よりも高速で上昇させる制御手段とを更に備えたことを特徴とする。
【００２０】
このような本発明のシート給送装置では、シート収容手段が最大容量を収容可能な下限位置に位置しているにも拘わらずシートの収容量が少ないと判断された場合には、シート収容手段が通常よりも高速度で上昇する。
【００２１】
また、本発明に係る画像読取装置は、上述の各発明のいずれかのシート給送装置を備えたことを特徴とする。
【００２２】
このような本発明の画像読取装置では、上述の各発明のシート給送装置と同様の作用を有する。
【００２３】
また、本発明に係る画像形成装置は、上述の各発明のいずれかのシート給送装置を備えたことを特徴とする。
【００２４】
このような本発明の画像形成装置では、上述の各発明のシート給送装置と同様の作用を有する。
【００２５】
更に本発明に係る画像形成装置は、上述の発明の画像読取装置を備えたことを特徴とする。
【００２６】
このような本発明の画像形成装置では、上述の画像読取装置と同様の作用を有する。
【００２７】
更に本発明に係る画像形成装置は、前述の発明の画像読取装置と、該画像読取装置が読み取った画像及び外部から入力された画像のデータを記憶する記憶手段と、該記憶手段に記憶されているデータに基づいて画像形成を行なう画像形成手段と、前記シート量判断手段が判断した前記シート収容手段に収容されているシートの量に応じて、前記画像読取装置が読み取った画像のデータを記憶するための前記記憶手段の割当容量を設定すると共に、前記画像読取装置が読み取った画像のデータに対する割当容量が所定値以下である場合に外部からの画像の入力を許可する制御手段とを備えたことを特徴とする。
【００２８】
このような本発明の画像形成装置では、たとえばシート収容手段に収容されたシートの量が少ない場合には読み取った画像データを記憶させるための記憶手段の容量も少なくて済むので、記憶手段の余分の容量が他の処理に割当てられる。
【発明の効果】
【００２９】
従来のシート給送装置では、シート収容手段上のシートの収容量が多くなった場合には１個の接触子をシートの先端部に接触させることにより、満杯状態からシートが無い状態までを検出するためには、接触子の長さを長くする必要があった。しかも、シートの上側から下方へ向けて接触子を設けた場合には、シートが給送される都度、接触子が大きく回動するために接触子を逃がすスペースが必要であったため、そのようなスペースと搬送手段のローラ，ローラ軸等が干渉する可能性があったため、あまり接触子を長くすることができなかった。また、シート収容手段の下側から上方へ向けて接触子を設けた場合には、上側へカールしたシートを検出できない可能性があり、誤検知が発生し易いという問題があった。
【００３０】
しかし、上述のような本発明のシート給送装置によれば、接触子をシート収容手段の上下両側に分割して配置することにより、両接触子の長さをいずれも短くすることができる。また、上側へカールしたシートを上側に配置された接触子で検出することが可能になるため、誤検知が生じる可能性が小さくなる。
【００３１】
更に本発明のシート給送装置によれば、第１，第２の接触子それぞれの検出領域が重複しているので、いずれの接触子でもシートが検出できなくなる領域が無くなる。また、両接触子による検出領域の重複量を充分に大きくすることにより、それぞれの接触子の特性のバラツキ等にも影響を受けない安定した検出が可能になる。
【００３２】
更に本発明のシート給送装置によれば、シート収容手段上のシートの収容量が多くなった場合には、シート収容手段に収容されたシートの最上部の高さが予め定められた一定の高さに維持されるように制御されるので、シートの最上部から１枚づつシートを取り出すことが可能になり、安定したシートの給送が可能になる。また、第１と第２の接触子の検出領域内でシート収容手段が昇降されるので、シート収容手段がどのような位置にある場合にも確実にシートの有無を検出することができる。
【００３３】
更に本発明のシート給送装置によれば、第１の接触子によるシートの検出結果と、第２の接触子によるシートの検出結果とを組み合せて判断することにより、シート収容手段に収容されているシートの概略の量を判断することができる。具体的には、第１の接触子がシート有りと検出し、第２の接触子がシート無しと検出した場合にはシートの収容量が少ないと判断される。第１，第２の接触子それぞれがシート有りと検出している場合はシートの収容量が多いと判断される。第１，第２の接触子が共にシート無しと検出している場合はシートが収容されていないと判断される。更に、第２の接触子のみがシート有りと検出している場合は、シート収容手段が上部に位置していてシートの収容量が少ないと判断される。第１の接触子のみがシート有りと検出している場合はシート収容手段が下方に位置していてシートの収容量が少ないと判断される。
【００３４】
更に本発明のシート給送装置によれば、シート収容手段が最大容量を収容可能な最下位置に位置しているにも拘わらずシートの収容量が少ないと判断された場合には、シート収容手段の昇降手段の駆動源のモータを高速回転させる等の制御を行なうことにより、シート収容手段からシートを取り出すことが可能な位置までシート収容手段が迅速に上昇する。
【００３５】
また、本発明の画像読取装置によれば、上述したシート給送装置の各発明が奏する効果を奏する。
【００３６】
また本発明の画像形成装置によれば、上述したシート給送装置の各発明が奏する効果を奏する。
【００３７】
更に本発明の画像形成装置によれば、上述した画像読取装置の発明が奏する効果を奏する。
【００３８】
更に本発明の画像形成装置によれば、たとえばシート収容手段に収容されたシートの量が少ない場合には読み取った画像データを記憶させるための記憶手段の容量も少なくて済むので、記憶手段の余分の容量を他の処理に割当てることにより、画像読取装置による画像読取処理に並行して他の処理、たとえば周辺機器から入力された画像データに基づいた画像形成を行なうことができ、効率的な処理が可能になる。
【発明を実施するための最良の形態】
【００３９】
以下、本発明をそれを実施するための最良の形態を示す図面に基づいて詳述する。まず、本発明に係るシート給送装置の一構成例について、それを組み込んだＡＤＦ（自動原稿搬送装置）を備えた画像読取装置の機械的構成を示す図１の縦断面図を参照して説明する。
【００４０】
画像読取装置１は概略的には、光学系２と、その上方に配置されたＡＤＦ（自動原稿搬送装置:Automatic Document Feeder) ３とで構成されており、複写機，ファクシミリ装置等のスキャナ部として機能する。なお、図１に例示した画像読取装置１は詳細は後述するが原稿の両面を読み取ることが可能に構成されている。
【００４１】
光学系２は、第１の読取手段としてのＣＣＤ(Charge Coupled Device）読取ユニット１１を平面ガラス板（プラテンガラス）である原稿台１２の下方に備えている。ＣＣＤ読取ユニット１１は所定位置に固定されており、結像レンズ１１ａ及びこの結像レンズ１１ａにより画像が結像される位置に配置されたＣＣＤイメージセンサ１１ｂ等で構成されている。従って、平面ガラス板である原稿台１２上にセットされることにより平面支持された原稿の画像が光源ユニット１３及びミラーユニット１４によりＣＣＤ読取ユニット１１のＣＣＤイメージセンサ１１ｂに結像されるように、それぞれの構成要素の配置位置が決定されている。
【００４２】
光源ユニット１３は、光源１３ａと、この光源１３ａからの読み取り用の照明光を原稿台１２上の所定の読み取り位置に原稿台１２の下側から集光するミラー１３ｂと、原稿からの反射光のみを通過させるスリット１３ｃと、このスリット１３ｃを通過した光の光路を90°変換する反射ミラー１３ｄ等で構成されている。
【００４３】
ミラーユニット１４は、光源ユニット１３の反射ミラー１３ｄからの光の光路を原稿台１２のより下方の位置で逆方向に平行になるように更に 180°変換するためにそれぞれの反射面が相互に直行するように固定された一対の反射ミラー１４ａ，１４ｂを備えている。
【００４４】
光源ユニット１３は参照符１３ｅ，１３ｆ等で示すように、原稿台１２の面と平行に矢符１５方向（副走査方向）に移動し、またミラーユニット１４も同様に原稿台１２の面と平行に矢符１５方向（副走査方向）に移動することにより、原稿台１２上にセットされている画像の画像を読み取るように構成されている。なおこの場合、光源ユニット１３の移動速度をＶとした場合、ミラーユニット１４の移動速度はＶ／２にする必要がある。また、これらの光源ユニット１３及びミラーユニット１４の移動は図示しないステップピングモータ４２（図７参照）により行なわれる。
【００４５】
なお、ＣＣＤ読取ユニット１１は、図示していないが、少なくともＣＣＤイメージセンサ１１ｂ、結像レンズ１１ａ及び光源１３ａ等を一つのユニットに構成した縮小読取光学系または等倍読取光学系のユニットを移動速度Ｖで走査させつつ、光源１３ａから照射された光の原稿からの反射光を結像レンズ１１ａを介してＣＣＤイメージセンサ１１ｂに結像させる構成であってもよい。
【００４６】
また、この光学系２には、平面ガラスである原稿台１２の一端部、具体的には図１上で左側の一端部から副走査方向に適宜距離離隔した位置に別の原稿台１６が備えられている。光源ユニット１３は、この原稿台１６の直下の位置（図１に「Pos1」で示す位置）にまで移動して静止した状態で、この原稿台１６上を搬送されてゆく原稿の一方の面（以下、この面、即ち図１上の原稿台１６上で下側の面を原稿の表面とする）の画像を読み取ることができる。このようにして原稿台１６を通過しつつ表面の画像を読み取られて搬送された原稿の画像読取装置１の出口付近には、そのような原稿を受け止めて集積しておくための排紙トレイ１７が設けられている。
【００４７】
一方、ＡＤＦ３には、第２の読取手段であるＣＩＳ（密着イメージセンサ: Contact Image Sensor）２１が原稿台１６の上面側の図１に「Pos2」で示す位置に備えられている。このＣＩＳ２１はその下側面に画像読取のためのイメージセンサを備えている。従って、ＡＤＦ３は、原稿トレイ２２上に積層状態でセットされた原稿のシートを１枚ずつ取り込んでゆき、このＣＩＳ２１にその原稿の他方の面以下、この面、即ち図１上の原稿台１６上で上側の面を裏面とする）の画像を読み取らせることができる。
【００４８】
以上のような機能を実現するために、ＡＤＦ３は、各種のローラＲ１〜Ｒ１０、検出器Ｓ０〜Ｓ８、湾曲搬送経路２３及びレジスト・斜行補正領域２４等を備えている。ＣＩＳ２１は、たとえばアレイ状のイメージセンサと、アレイ状の導光手段（セルフォックレンズ等のレンズアレイ）と、光源（ＬＥＤアレイ光源または蛍光灯）と等からなる密着イメージセンサとして構成されている。
【００４９】
なお、各種のローラＲ１〜Ｒ１０は図１には示されていない原稿搬送モータ４３（図７参照）により駆動されるようになっている。また詳細は後述するが、呼込ローラＲ１及びこれとベルト等の伝動手段により連動連結されている分離ローラＲ２には呼込ローラクラッチ４４が、レジストローラＲ８，Ｒ９のいずれか一方にはレジストローラクラッチ４５（いずれも図７参照）がそれぞれ接続されている。これらのクラッチ４４，４５が後述する制御部４１（図７参照）の制御により継断されることにより、原稿搬送モータ４３の駆動力が呼込ローラＲ１，分離ローラＲ２，レジストローラＲ８，Ｒ９に伝動されたり、遮断されたりする。
【００５０】
原稿トレイ２２は、本実施の形態では電動式のトレイ（電気モータの駆動力により昇降する昇降トレイ）である。原稿トレイ２２に原稿がセットされた場合に原稿の先端部に当接して回動する接触子であるアクチュエータＳ１ａ及びこの回動を検知するセンサ本体Ｓ１ｂからなる接触式の下部原稿検出器Ｓ１の検出結果と、同様のアクチュエータＳ１ａ′及びセンサ本体Ｓ１ｂ′からなる接触式の上部原稿検出器Ｓ１′の検出結果との組み合わせによって原稿トレイ２２に原稿がセットされたことが検知されると、原稿の読み取りの指示を待機する待機状態になる。
【００５１】
更に、後述する制御手順に従って所定のタイミングでこの原稿トレイ２２の上昇が開始される。この原稿トレイ２２の上昇が開始されると、やがては原稿トレイ２２上に収容されている原稿束の最上層の１枚の原稿がアーム２５によって昇降移動自在に支持されている呼込ローラＲ１を押し上げる位置にまで原稿トレイ２２が上昇する。この時点で、呼込ローラＲ１が押し上げられたことが呼込ローラ位置検出器Ｓ２によって検知されるので、これによって原稿トレイ２２の上昇が停止され、その位置で原稿トレイ２２の高さを維持したままで待機状態になるようにしてもよい。
【００５２】
図２は上述した下部原稿検出器Ｓ１及び上部原稿検出器Ｓ１′、更には原稿トレイ２２が下限位置（基準位置）にあることを検出するための原稿トレイ下限位置検出器Ｓ８の配置状況及び検出範囲を説明するための模式図であり、図３乃至図５はそれらの動作状態を説明するための模式図である。
【００５３】
図２に示すように、アーム２５の下方の位置には、原稿トレイ２２上にセットされた原稿の先端部が揃った状態で、しかも原稿トレイ２２にセットされている原稿束の最上部の原稿の上面が原稿トレイ２２が上昇した場合に呼込ローラＲ１の下側に当接する位置に正しくセットされるようにするための原稿先端規制板２８が備えられている。この原稿先端規制板２８は呼込ローラＲ１の軸方向と平行な平板状に形成されており、その下端部が原稿トレイ２２側へ折り曲げられて突出する形状に形成されていて、この部分が原稿トレイ２２の下限位置のストッパ２８０を構成する。
【００５４】
従って、原稿トレイ２２が下降した場合にはその先端部の底面が図２に破線にて示すようにストッパ２８０の上面に当接してそれ以上の下降が禁じられる。なお、この状態において、原稿トレイ下限位置検出器Ｓ８のアクチュエータＳ８ａが原稿トレイ２２の下面に当接して所定角度だけ回動するので、この回動をセンサ本体Ｓ８ｂが検知することにより、原稿トレイ２２が下限位置に位置していることを原稿トレイ下限位置検出器Ｓ８が検出する。
【００５５】
下部原稿検出器Ｓ１はその本体Ｓ１ｂが、原稿トレイ２２が下限位置に位置している場合にも干渉しないように原稿トレイ２２の底面よりも更に若干低い位置に固定されている。また下部原稿検出器Ｓ１の接触子であるアクチュエータＳ１ａは本体Ｓ１ｂ側端部を回動中心として上方へ向けられていて原稿の給送方向へ回動可能な棒状の接触子である。この下部原稿検出器Ｓ１のアクチュエータＳ１ａはその回動時の先端の位置が原稿トレイ２２の昇降範囲の中央位置よりは若干上側へ突出するような長さを有している。換言すれば、下部原稿検出器Ｓ１のアクチュエータＳ１ａの検出領域は、原稿トレイ２２の昇降範囲の下限位置と中央位置との間の範囲である下部領域全体と、この下部領域を上側（後述する上部領域側）へ若干超えた部分までをカバーしている。
【００５６】
なお、下部原稿検出器Ｓ１のアクチュエータＳ１ａが原稿トレイ２２及び原稿先端規制板２８のいずれにも接触しないように、原稿トレイ２２及び原稿先端規制板２８にはアクチュエータＳ１ａの回動範囲に切欠きが設けられている。
【００５７】
一方、上部原稿検出器Ｓ１′はその本体Ｓ１ｂ′が、原稿トレイ２２が上限位置（具体的には、原稿トレイ２２に原稿がセットされていない状態で原稿トレイ２２が呼込ローラＲ１に当接する位置）に位置している場合にも干渉しないように原稿トレイ２２の上面よりも更に若干高い位置に固定されている。また上部原稿検出器Ｓ１′の接触子であるアクチュエータＳ１ａ′は本体Ｓ１ｂ′側端部を回動中心として下方へ向けられていて原稿の給送方向へ回動可能な棒状の接触子である。この上部原稿検出器Ｓ１′のアクチュエータＳ１ａ′はその回動時の先端の位置が原稿トレイ２２の昇降範囲の中央位置よりは若干下側へ突出するような長さを有している。換言すれば、上部原稿検出器Ｓ１′のアクチュエータＳ１ａ′の検出領域は、原稿トレイ２２の昇降範囲の上限位置と中央位置との間の範囲である上部領域全体と、この上部領域を下部領域側へ若干超えた部分までをカバーしている。
【００５８】
なお、上部原稿検出器Ｓ１′のアクチュエータＳ１ａ′が原稿トレイ２２及び原稿先端規制板２８のいずれにも接触しないように、原稿トレイ２２及び原稿先端規制板２８にはアクチュエータＳ１ａ′の回動範囲に切欠きが設けられている。
【００５９】
図３は原稿トレイ２２が下限位置に位置している場合に原稿束の最上面が上部原稿検出器Ｓ１′のアクチュエータＳ１ａ′には接触しない程度の量の原稿がセットされた状態を示す模式図である。この状態では、原稿トレイ下限位置検出器Ｓ８は原稿トレイ２２が下限位置に位置していることを検出している。また、下部原稿検出器Ｓ１のアクチュエータＳ１ａは原稿トレイ２２上にセットされている原稿束ＳＢの先端部に当接して回動するので、これを本体Ｓ１ｂが検出することにより、下部原稿検出器Ｓ１は検知状態（オン状態）になる。一方、上部原稿検出器Ｓ１′のアクチュエータＳ１ａ′は原稿トレイ２２にセットされた原稿束ＳＢには接触しないため回動せず、これを本体Ｓ１ｂ′が検出することにより、上部原稿検出器Ｓ１′は非検知状態（オフ状態）になる。
【００６０】
図４は原稿トレイ２２が下限位置に位置している場合に原稿束ＳＢの最上面が上部原稿検出器Ｓ１′のアクチュエータＳ１ａ′にも接触する程度の量の原稿がセットされた状態を示す模式図である。この状態では、原稿トレイ下限位置検出器Ｓ８は原稿トレイ２２が下限位置に位置していることを検出している。また、下部原稿検出器Ｓ１のアクチュエータＳ１ａは原稿トレイ２２上にセットされている原稿束ＳＢの先端部に当接して回動するので、これを本体Ｓ１ｂが検出することにより、下部原稿検出器Ｓ１は検知状態（オン状態）になる。更に、上部原稿検出器Ｓ１′のアクチュエータＳ１ａ′も原稿トレイ２２にセットされた原稿束ＳＢの先端部に当接して回動するので、これを本体Ｓ１ｂ′が検出することにより、上部原稿検出器Ｓ１′も検知状態（オン状態）になる。
【００６１】
図５は、たとえば原稿トレイ２２にセットされた原稿束ＳＢの原稿の数が少ない場合に原稿トレイ２２が徐々に上昇し、原稿トレイ２２にセットされている原稿束ＳＢの最下部が下部原稿検出器Ｓ１のアクチュエータＳ１ａの検出領域よりも上側にまで上昇した状態、または図示されている位置において待機状態にある原稿トレイ２２に原稿の数が少ない原稿束ＳＢがセットされた場合の状態を示す模式図である。この状態では、原稿トレイ下限位置検出器Ｓ８は原稿トレイ２２が下限位置に位置していないことを検出している。また、下部原稿検出器Ｓ１のアクチュエータＳ１ａは原稿トレイ２２上にセットされている原稿束ＳＢの先端部には接触しないため回動せず、これを本体Ｓ１ｂが検出することにより、下部原稿検出器Ｓ１は非検知状態（オフ状態）になる。一方、上部原稿検出器Ｓ１′のアクチュエータＳ１ａ′は原稿トレイ２２にセットされた原稿束ＳＢの先端部に当接して回動するので、これを本体Ｓ１ｂ′が検出することにより、上部原稿検出器Ｓ１′は検知状態（オン状態）になる。
【００６２】
図６は下部原稿検出器Ｓ１のアクチュエータＳ１ａ、上部原稿検出器Ｓ１′のアクチュエータＳ１ａ′、両アクチュエータＳ１ａ，Ｓ１ａ′の回動中心間の距離、及び原稿トレイ２２にセットされる原稿束の厚み（高さ）の関係の一例を示す図である。
【００６３】
この例では、下部原稿検出器Ｓ１のアクチュエータＳ１ａの有効長（回動中心から先端までの長さ）Ｌ１は３３ｍｍに、上部原稿検出器Ｓ１′のアクチュエータＳ１ａ′の有効長Ｌ２は２４ｍｍにそれぞれ設定されている。また、下部原稿検出器Ｓ１のアクチュエータＳ１ａの自由高さ（原稿に当接していない場合の回動中心を基準とする先端までの高さ）Ｈ１は２７ｍｍに、上部原稿検出器Ｓ１′のアクチュエータＳ１ａ′の自由高さＨ２は２２ｍｍに、更に下部原稿検出器Ｓ１のアクチュエータＳ１ａの回動中心を基準とする上部原稿検出器Ｓ１′のアクチュエータＳ１ａ′の回動中心までの高さＨ３は４２ｍｍにそれぞれ設定されている。
【００６４】
以上のような諸元の設定により、上部原稿検出器Ｓ１′が検出できない原稿トレイ２２上にセットされる原稿束の高さ（厚み）ｈ１は原稿１００枚に相当する１０ｍｍになり、下部原稿検出器Ｓ１が検出できる原稿トレイ２２上にセットされる原稿束の高さ（厚み）は上述のｈ１にｈ２（原稿７０枚に相当する７ｍｍ）を合わせた高さ（１７ｍｍ）になる。なお、本実施の形態においては、通常原稿トレイ２２にセットされる原稿の最大枚数は２００枚とし、その原稿トレイ２２上にセットされた場合の高さｈ３は２０ｍｍになる。なお、原稿枚数とその高さ（厚み）との関係は通常の新品のＰＰＣ用紙による概数であり、厳密な数字ではない。
【００６５】
ここで、下部原稿検出器Ｓ１のアクチュエータＳ１ａの方が上部原稿検出器Ｓ１′のアクチュエータＳ１ａ′よりも長く設定されているが、その主たる理由は下部原稿検出器Ｓ１のアクチュエータＳ１ａの回動中心が原稿トレイ２２の底面よりも下方に位置させる必要があるためである。但し、一方のアクチュエータを長くすればするほど、他方のアクチュエータをより短くすることが可能になる。しかし現実には、上部原稿検出器Ｓ１′のアクチュエータＳ１ａ′は原稿の給送時には必ず原稿に接触するため、下部原稿検出器Ｓ１のアクチュエータＳ１ａを短くするよりも、上部原稿検出器Ｓ１′のアクチュエータＳ１ａ′を短くする方が好ましい。
【００６６】
なお、原稿トレイ２２は、原稿がセットされて上述のようにして上昇して待機位置で待機状態になった後に読み取りを開始する信号が入力されずに所定時間経過した場合は、そのままの状態で待機状態を継続するようにしてもよいが、呼込みローラＲ１の変形を防止するために所定の高さ位置、または下限位置まで原稿トレイ２２を下降させて待機させることが好ましい。
【００６７】
そして、原稿の給紙開始信号が与えられると、原稿トレイ２２が比較的下方で待機状態になっている場合には、呼込ローラＲ１が押し上げられたことが呼込ローラ位置検出器Ｓ２によって検知されるまで原稿トレイ２２が上昇され、その時点で呼込ローラＲ１が回転駆動される。これにより、原稿トレイ２２にセットされている原稿束の最上層の原稿が順次取込まれてゆく。
【００６８】
呼込ローラＲ１の原稿の搬送方向の下流側には分離ローラ対Ｒ２，Ｒ２ａが配置されている。ところで、呼込ローラＲ１はアーム２５の先端側部分に支持されており、アーム２５の基部側部分は分離ローラＲ２の回転軸を回動中心として回動可能に支持されている。そして自重または付勢力により呼込ローラＲ１が下方、具体的には原稿の最上層へ向けて付勢されていて原稿の最上層に接触するようになっている。また、呼込ローラＲ１が下降する際の下限位置は図示しないストッパによって規制されており、必要以上には下降しないようになっている。
【００６９】
アーム２５の側面には凸部が形成されており、光センサ等で構成された呼込ローラ位置検出器Ｓ２がこの凸部を検出することにより、呼込ローラＲ１の高さをアーム２５の回動角から検出できるようになっている。本実施の形態では、アーム２５の側面に凸部を設けてこれを直接的に呼込ローラ位置検出器Ｓ２で検出する構成を採っているが、呼込ローラ位置検出器Ｓ２をアーム２５から離隔した位置に設けることも可能である。この場合には、可動連結手段等を介装することにより、アーム２５の高さを検出できるようにすることが可能である。
【００７０】
分離ローラＲ２にはトルクリミッタを備えたローラＲ２ａ（これに代えてたとえば摩擦パッドを利用することも可能）が対向して圧接状態で設けられている。このローラＲ２ａが備えるトルクリミッタにより各１枚の原稿が確実に分離されて搬送されるようになっており、原稿が重送、即ち２枚以上が重なった状態で送られることはない。従って、呼込ローラＲ１によって仮に複数枚の原稿が重なった状態で取り込まれたとしても、呼込ローラＲ１に密着していた最上面の１枚の原稿のみが分離ローラ対Ｒ２，Ｒ２ａにより取込まれ、湾曲搬送経路２３へと搬送される。
【００７１】
なお、原稿が分離ローラ対Ｒ２，Ｒ２ａで確実に分離供給されたか否かは、原稿に接触することにより回動するアクチュエータＳ３ａ及びこの回動を検知するセンサ本体Ｓ３ｂからなる給紙検出器Ｓ３によって、アクチュエータＳ３ａが原稿に接触している時間から検知される。そして、分離ローラ対Ｒ２，Ｒ２ａで確実に分離供給された１枚の原稿は所定のタイミングで下流側の湾曲搬送経路２３へ搬送される。
【００７２】
湾曲搬送経路２３では原稿は搬送ローラＲ３〜Ｒ７によって搬送される。この際、原稿が湾曲搬送経路２３を無理なく搬送されているか否かは、原稿の先端が接触することにより回動するアクチュエータＳ４ａ及びこの回動を検知するセンサ本体Ｓ４ｂからなり、この湾曲搬送経路２３からの原稿の排出を検知する給紙検出器Ｓ４によって検知される。湾曲搬送経路２３は、あらゆる種類の原稿の安定供給が保証されるような曲率に形成されている。具体的には、湾曲搬送経路２３は、画像読取装置１が読み取り可能な原稿の内の最も厚い、換言すれば最も腰のある原稿をも円滑に搬送できる曲率に形成されている。
【００７３】
湾曲搬送経路２３から排出された原稿は、レジスト・斜行補正領域２４へ搬送され、その先端がこのレジスト・斜行補正領域２４の出口付近に備えられているレジストローラ対Ｒ８，Ｒ９の原稿搬送方向の若干上流側に配置されている給紙検出器Ｓ５によって検知されると、レジストローラ対Ｒ８，Ｒ９の回転が一旦停止される。そしてこの状態で所定時間にわたって上流側からの搬送力により原稿が後端部側から先端部側へ押されることにより、原稿の先端部がレジストローラ対Ｒ８，Ｒ９の合わせ目に衝突させられ、これによって原稿のレジスト及び斜行の補正が行なわれる。給紙検出器Ｓ５は、原稿の先端が当接することにより回動するアクチュエータＳ５ａ及びその回動を検知するセンサ本体Ｓ５ｂからなる。
【００７４】
レジスト・斜行補正領域２４は、湾曲搬送経路２３の最下流側の搬送ローラ対Ｒ６，Ｒ７の位置からレジストローラ対Ｒ８，Ｒ９までの区間である。このレジスト・斜行補正領域２４において、上述のようなレジスト及び斜行の補正を行なうことができるように、搬送ローラ対Ｒ６，Ｒ７とレジストローラ対Ｒ８，Ｒ９との間で原稿Ｓの状態がほぼ直線となり、搬送経路のガイド面から極力フリーになるように、湾曲搬送経路２３の最終の搬送ローラ対Ｒ６，Ｒ７からレジストローラ対Ｒ８，Ｒ９までの間の距離が考慮されている。なお、搬送ローラ対Ｒ６，Ｒ７とレジストローラ対Ｒ８，Ｒ９との間の距離は、ＡＤＦ（原稿搬送装置）として処理することが可能な原稿の内の最も小さい原稿の搬送方向の長さが最低限設定されていればよい。即ち、湾曲搬送経路２３内に残っている原稿の後端側の部分が短い程、原稿のレジスト及び斜行の補正がスムーズに行なえることとなる。
【００７５】
次に、上述のようにしてレジスト及び斜行の補正が行なわれた原稿は、所定のタイミングでレジストローラ対Ｒ８，Ｒ９の回転が再開されることにより搬送が再開され、原稿の表面を露光走査するための第１の読取位置Pos1へ搬送され、更に引続いて原稿の裏面を露光走査するための第２の読取位置Pos2を通過する。第１の読取位置Pos1には光源ユニット１３が、第２の読取位置Pos2にはＣＩＳ２１がそれぞれ臨んでいる。
【００７６】
このようにして表面または表裏両面の画像を読み取られた原稿は、排紙ローラ対Ｒ１０，Ｒ１１（排紙ローラＲ１０はＡＤＦ３側に、排紙ローラＲ１１は光学系２側にそれぞれ設けられている）により原稿排出点よりも低い位置で原稿読取装置１の側面に支持されている排紙トレイ１７上へ排出される。この原稿の排出動作の確認は、原稿の通過中に回動状態になるアクチュエータＳ６ａ及びこの回動状態を検知するセンサ本体Ｓ６ｂからなる排紙検出器Ｓ６によって検知される。
【００７７】
以上のような動作が、原稿トレイ２２上にセットされた原稿が無くなるまで反復され、読み取りが完了した原稿は全て排紙トレイ１７上に順次排出され、集積される。
【００７８】
ところで、原稿トレイ２２上の原稿が順次給送されるに伴って徐々に原稿束の高さが下がってゆくため、その分だけ原稿トレイ２２を上昇させることにより、常に原稿束の最上面と呼込ローラＲ１とが所定の高さ関係を維持するように制御される。このような制御を行なうために、原稿トレイ２２は呼込ローラＲ１側とは逆側の端部に設けられている支点２２ａを中心として揺動可能になっており、その支点２２ａとは反対側の端部、即ち呼込ローラＲ１側端部近辺の側面に下方へ突出して設けられたリブ２２ｂが、昇降プレート３１によって押し上げられることにより昇降可能となっている。昇降プレート３１は、リブ２２ｂと当接する側とは反対側の端部がプレート支持軸３２に固着されている。このプレート支持軸３２には伝達部材（歯車）列からなり、昇降モータ３３により回転駆動される昇降機構部３４が接続されている。従って、昇降モータ３３により昇降機構部３４を構成する伝達部材が回転駆動されることによりプレート支持軸３２が回動し、これによって昇降プレート３１が回動してリブ２２ｂを押し上げて原稿トレイ２２を上昇させ、または逆に自重により原稿トレイ２２を下降させる。
【００７９】
この原稿トレイ２２の待機時の位置（図１に参照符号ＨＰで示されているホームポジション）は昇降プレート３１の回動位置によって決定されるが、呼込ローラ位置検出器Ｓ２の動作信号を基準にして後述する制御部が昇降機構部３４の昇降モータ３３を制御することにより維持される。この原稿トレイ２２の待機時の位置は、原稿トレイ２２にセットされる原稿の枚数の頻度に応じて、換言すれば日常の一般的な使用状態において原稿トレイ２２にセットされる頻度が高い原稿枚数を考慮して、後述する操作部４６の操作により任意に設定可能になっており、サービスマンまたは使用者が予め設定できるようになっている。
【００８０】
更に、原稿トレイ２２は、上述したように安定した原稿の搬送を保証できるようにその曲率が設定された湾曲搬送経路２３により必然的に形成されるこの湾曲搬送経路２３の入口側と出口側との高さの範囲内で上下移動できるようになっている。原稿トレイ２２がこの範囲内で下降方向に移動した場合には呼込ローラＲ１との間隔が大きくなるので大量の原稿のセットが可能になると共に、原稿トレイ２２上にセットされた大量の原稿束の最上層の一枚を湾曲搬送経路２３の入口へ給送可能な位置へ上昇させることにより、原稿トレイ２２上にセットされた大量の原稿束の最上層の原稿を順次給紙することができるようになっている。
【００８１】
また、原稿トレイ２２には、原稿の側部を人手で揃えるための原稿規制板３０が設けられている。この原稿規制板３０の位置は、第１原稿サイズ検出器Ｓ０によって検出され、セットされた原稿のサイズが検出できるようになっている。なお、原稿トレイ２２には、原稿の長さ（原稿の給送方向の長さ）を検出するための第２原稿サイズ検出器Ｓ７（図７参照）も設置されている。これらの第１及び第２原稿サイズ検出器Ｓ０及びＳ７により、原稿トレイ２２上にセットされている原稿のサイズが検出され、この検出結果に基づいて画像形成時の用紙選択等が行なわれると共に、後述するような制御部による原稿トレイ２２の高さ位置の制御にも利用される。
【００８２】
一方、原稿台１２上の原稿を読み取る際には、光源ユニット１３は、図１中の位置Pos3（静止原稿の読み取り時の光源ユニット１３のスタート位置）から位置Pos4（最大原稿の読み取り時の光源ユニット１３のリターン位置）の方向へ、図１には示されていないが、原稿台１２上にセットされている原稿のサイズを検出するための第３原稿サイズ検出器Ｓ９（図７参照）等で検出された原稿サイズに応じて所定距離を移動するようになっている。
【００８３】
これに対して、原稿を搬送しつつ読み取る際には、光源ユニット１３は読取位置Pos1（走行原稿の読み取り時の光源ユニット１３の位置）に停止している。また、光源ユニット１３は、位置Pos3と位置Pos4との中間の位置、または位置Pos3と読取位置Pos1との中間の位置のいずれかを、光源ユニット１３の位置検出器である光源ユニット検出器の検出結果に基づいてホームポジションとしている。従って、光源ユニット１３は使用されていない待機中にはこのホームポジションで停止状態にある。
【００８４】
なお、ＡＤＦ３は、原稿台１２上にセットされた原稿を読み取るために、画像読取装置１の奥側（図１上で奥側）の部分が光学系２との間に設けられたヒンジ（図示せず）により回動可能に支持されている。このヒンジを回動支点として、ＡＤＦ３は原稿台１２に対して上方に回動して開くようにようになっている。換言すれば、ＡＤＦ３が上方に回動して開くことにより、図１上で画像読取装置１の原稿台１２の上面が手前側から開放できるようになっており、ＡＤＦ３では搬送できないシート状ではない種類の原稿、たとえばブック物の原稿等を原稿台１２上にセットできるようになっている。なお、ＡＤＦ３の底面、換言すれば原稿台１２と接する面には、原稿台１２に対向して弾力性を有する素材で構成された原稿マット３５が備えられている。
【００８５】
上述のように構成された画像読取装置１は、静止読取モード、走行読取モード、両面読取モードの３種類のモードで原稿の読み取りが可能である。静止読取モードは、ブック物等の原稿を読み取るモードであり、原稿台１２上にセットされた原稿を、光源ユニット１３及びミラーユニット１４を矢符１５で示す方向に走査しつつ（移動させつつ）、ＣＣＤ読取ユニット１１によって読み取るモードである。また、走行読取モード及び両面読取モードは、いずれも原稿トレイ２２にセットされた原稿を、ＡＤＦ３で自動的に１枚ずつ給送しながら読み取るモードである。なお、走行読取モードではＣＣＤ読取ユニット１１又はCIS ２１のいずれか一方を使用して、両面読取モードではＣＣＤ読取ユニット１１及びＣＩＳ２１の双方を使用してそれぞれ原稿の読み取りを行なう。
【００８６】
なお、本実施の形態においては、原稿セットトレイ２２にセット可能な原稿の最大枚数はたとえば通常のコピー用紙程度の厚さであれば２００枚程度である。
【００８７】
図７は図１に機械的構成を示した本発明の一実施の形態の画像読取装置１の機能的構成を示すブロック図である。なお、図７においては、前述の図１に示されている構成と同一または対応する部分には同一の参照符号を付してその説明を省略する。
【００８８】
マイクロコンピュータ等で実現される制御部４１には、原稿トレイ２２にセットされた原稿のサイズを検出する第１，第２原稿サイズ検出器Ｓ０，Ｓ７、原稿台１２上にセットされた原稿のサイズを検出するために光学系２側に配置された第３原稿サイズ検出器Ｓ９の検出結果が与えられている。制御部４１はこれらの原稿サイズ検出器Ｓ０，Ｓ７，Ｓ９の検出結果に基づいて、使用する記録用紙及びタイミング等の制御の切換えを行なう。
【００８９】
ＣＣＤ読取ユニット１１を使用しての読み取りに際しては、制御部４１は、ステッピングモータ４２を駆動制御して光源ユニット１３及びミラーユニット１４を前述の如く移動させると共に、光源ユニット検出器Ｓ１０が検出した光源ユニット１３の位置に応じて露光ランプ１３ａ及びＣＣＤ１１ｂを制御して原稿画像を読み取る。
【００９０】
これに対して、ＡＤＦ３を使用しての読み取りに際しては、制御部４１は、呼込ローラ位置検出器Ｓ２の検出結果に基づいて昇降モータ３３を駆動制御することにより、原稿トレイ２２にセットされている原稿束の最上面の高さを一定に維持しつつ、下部原稿検出器Ｓ１及び上部原稿検出器Ｓ１′の検出結果から原稿トレイ２２上の原稿が無くなったと判断されるまで、各検出器Ｓ３〜Ｓ６の検出結果に基づいて原稿搬送モータ４３、呼込ローラクラッチ４４及びレジストローラクラッチ４５を制御して原稿の搬送を行ないつつ、ＣＣＤ１１ｂ及び／又はＣＩＳ２１を制御して原稿画像を読み取る。
【００９１】
制御部４１は更に、液晶タッチパネル等で構成されている操作部４６（図８参照）に必要な情報を表示させると共に、操作部４６に加えられる入力操作を受付ける。
【００９２】
なお、参照符号４０は画像メモリであり、前述のようにして読み取った画像のデータを記憶するために利用される。この画像メモリ４０の利用のための処理手順に関しては後述する。
【００９３】
図８は本発明の画像読取装置１の操作部４６の一構成例を示す模式図である。操作部４６は、図１には示されていないが、画像読取装置１の上面に設けられており、各種のキーＫ１〜Ｋ８を備えると共に、液晶タッチパネル等で構成した操作パネルＰをも備えている。
【００９４】
なお、操作部４６に備えられている各種のキーＫ１〜Ｋ８は、Ｋ１が数字入力のためのテンキーであり、Ｋ２が割り込み処理のためのキーであり、Ｋ３がクリアキーであり、Ｋ４がオールクリア（全解除）キーであり、Ｋ５が原稿の読み取りを開始させるためのスタートキーであり、Ｋ６，Ｋ７，Ｋ８はそれぞれファクシミリ通信、プリンタ、コピーの各機能に対応する機能切り替えキーである。なお、後述するように本発明の画像読取装置１がデジタル複合機１００に組み込まれている場合には、コピーキーＫ８の操作によりデジタル複合機１００がコピー装置として機能するが、その場合にはスタートキーＫ５はコピーの開始を指示するキーとして機能する。
【００９５】
操作パネルＰの画面上には種々の画面が切り換え表示される。これらの画面中では、種々の条件を設定するためのタッチキーが表示され、それらのタッチキーをユーザが指で直接押圧操作することにより各種の条件設定が可能になる。また、操作のガイダンス及び警告等もこの操作パネルＰに表示されるように構成されている。
【００９６】
図９は上述のような画像読取装置により原稿の画像を読み取って画像形成を行なう画像形成装置としてのデジタル複合機の概略構成を示す縦断面図である。このような画像形成装置では、シート状の原稿から画像を読み取る画像読取部のみならず、画像形成装置へ記録用シート（シート状の記録用紙）を供給する構成においても、前述したような本発明のシート給送装置を組み込むことが可能である。
【００９７】
デジタル複合機１００には、前述の図１に示されている画像読取装置１が読取部１１０として組み込まれている。この読取部１１０により読み取られた原稿画像は図示しない画像データ入力部へ画像データとして送られ、所定の画像処理が施された後に図７に示した画像メモリ４０に一旦記憶される。そして、出力指示が与えられた場合等に、画像メモリ４０に記憶されている画像データが読み出されて画像形成部２１０の光書込装置であるレーザ書込ユニット２２７へ転送される。
【００９８】
レーザ書込ユニット２２７は、画像メモリ４０から読み出された画像データ又は外部の装置から転送されてきた画像データに応じてレーザ光を出射する半導体レーザ光源，レーザ光を等角速度偏向するポリゴンミラー，等角速度偏向されたレーザ光が感光体ドラム２２２上において等角速度で偏向されるように補正するｆ−θレンズ等から構成されている。なお、本実施の形態では、光書込装置としてレーザ書込みユニット２２７を備える構成としているが、ＬＥＤ又はＥＬ等の発光素子アレイを用いた固体走査型の光書込ヘッドユニットを備える構成としてもよい。
【００９９】
画像形成部２１０にはその他に、感光体ドラム２２２の周囲に、感光体ドラム２２２を所定の電位に帯電させる帯電器２２３，感光体ドラム２２２上に形成された静電潜像にトナーを供給してトナー顕像に現像する現像器２２４，このようにして感光体ドラム２２２の表面に形成されたトナー顕像を記録用シートに転写する転写器（転写チャージャ等）２２５，トナー顕像の転写後に感光体ドラム２２２の表面に残存しているトナーを除去するクリーニング器２２６，トナー顕像の転写後に感光体ドラム２２２の表面に残存している電荷を除去する除電器（除電チャージャ等）２２９等を備えている。この画像形成部２１０でトナー画像が転写された後の記録シートは次に定着ユニット２１７へ搬送され、熱圧着によりトナー画像が記録シートに定着される。
【０１００】
画像形成部２１０の排出側には、上述した定着ユニット２１７の他に、記録シートの裏面に再度画像を形成するために記録シートの表裏を反転させるスイッチバック路２２１，画像が形成された記録シートに対してステープル処理等を行なうと共に昇降トレイ２６１を有する後処理装置２６０が備えられている。定着ユニット２１７においてトナー画像が定着された記録シートは、必要に応じてスイッチバック路２２１を経由して排紙ローラ２１９により後処理装置２６０へ搬送され、ここで所定の後処理が施された後に昇降トレイ２６１へ排出される。
【０１０１】
画像形成部２１０の下方には給紙部が配設されている。給紙部は、デジタル複合機１００本体に備えられた手差トレイ２５４，両面ユニット２５５，用紙トレイ２５１と、デジタル複合機１００本体とは分離可能な多段給紙部２７０に備えられた給紙トレイ２５２，２５３とで構成されている。また、デジタル複合機１００本体には、これらのトレイ２５１，２５２，２５３，２５４から給紙された記録シートを画像形成部２１０の転写器２２５が配置された転写位置へ搬送するための搬送手段２５０も備えられている。
【０１０２】
両面ユニット２５５は記録シートを反転させるためのスイッチバック路２２１へも通じており、記録シートの両面に画像形成を行なう際に用いられる。なお、両面ユニット２５５は通常の用紙カセットと交換可能に構成されている。更に、図示していないが、記録シートを数千枚収納可能な大容量の給紙トレイを装着することも可能に構成されている。
【０１０３】
なお、図９に示されているデジタル複合機１００においても、図７に示した制御部４１が全体の制御を司り、図７に示した各機能ブロックが備えられているものとする。
【０１０４】
次に、本発明のシート給送装置を組み込んだ上述のようなデジタル複合機１００の動作の一例について、制御部４１による処理手順を示す図１０及び図１１のフローチャートを参照して説明する。
【０１０５】
制御部４１は、デジタル複合機１００の電源がオンであり且つ待機状態にある場合には原稿トレイ２２が下限位置に位置しているか否かを原稿トレイ下限位置検出器Ｓ８から与えられている検出結果に従って判断している（ステップＳ１１）。この結果、原稿トレイ２２が下限位置に位置していない場合は（ステップＳ１１でＮＯ）、制御部４１は昇降モータ３３を制御して原稿トレイ２２を下限位置まで下降させる（ステップＳ１２）。この際、原稿トレイ２２がその先端の下面がストッパ２８０に当接してその状態が原稿トレイ下限位置検出器Ｓ８により検出されるまで、ステップＳ１１，Ｓ１２の処理が反復される。
【０１０６】
原稿トレイ２２が下限位置に位置している場合（ステップＳ１１でＹＥＳ）、制御部４１はその状態を維持する（ステップＳ１３）。具体的には、上述のように原稿トレイ２２を下降させる制御が行われていた場合には制御部４１は昇降モータ３３を停止させて原稿トレイ２２の下降を停止させ、元々原稿トレイ２２が下限位置に位置していた場合には制御部４１は何らの制御も行なわない。
【０１０７】
次に制御部４１は下部原稿検出器Ｓ１の検出結果を判断する（ステップＳ１４）。ここで下部原稿検出器Ｓ１の検出結果が検知状態（オン）でない場合、即ち非検知状態（オフ）である場合は（ステップＳ１４でＮＯ）、制御部４１は次に上部原稿検出器Ｓ１′の検出結果を判断する（ステップＳ１５）。ここで上部原稿検出器Ｓ１′の検出結果が検知状態（オン）でない場合、即ち非検知状態（オフ）である場合は（ステップＳ１５でＮＯ）、制御部４１は原稿トレイ２２には原稿がセットされていないと判断し、ステップＳ１１へ処理を戻す。
【０１０８】
一方、上部原稿検出器Ｓ１′の検出結果が検知状態（オン）である場合は（ステップＳ１５でＹＥＳ）、制御部４１は原稿トレイ２２には正常には原稿がセットされていないと判断し、原稿トレイ上の原稿のセット状態を確認するための案内の表示を操作部４６の操作パネルＰに表示する（ステップＳ１６）。この後、制御部４１はステップＳ１１へ処理を戻す。
【０１０９】
前述のステップＳ１４での判断結果が「ＹＥＳ」であった場合、具体的には下部原稿検出器Ｓ１の検出結果が検知状態（オン）であった場合は、制御部４１は次に上部原稿検出器Ｓ１′の検出結果を判断する（ステップＳ１７）。ここで上部原稿検出器Ｓ１′の検出結果が検知状態（オン）である場合は（ステップＳ１７でＹＥＳ）、上部原稿検出器Ｓ１′及び下部原稿検出器Ｓ１の双方が検知状態（オン）であることから、原稿トレイ２２には比較的多量、具体的には下部原稿検出器Ｓ１のみならず上部原稿検出器Ｓ１′にも原稿の存在が検出される前述の図４に示したような状態であると制御部４１は判断する。この場合、制御部４１は画像メモリ４０の容量の内の比較的大きい部分を読込データ用の領域として確保する（ステップＳ１８）。また同時に制御部４１は他の処理、具体的には通信回線経由で外部から送られてくる画像データの受信等のような画像メモリ４０を使用する必要がある処理の受付を禁止する（ステップＳ１９）。
【０１１０】
一方，ステップＳ１７での上部原稿検出器Ｓ１′の検出結果が非検知状態（オフ）である場合は（ステップＳ１７でＮＯ）、下部原稿検出器Ｓ１のみが検知状態（オン）であることから、原稿トレイ２２には比較的少量、具体的には下部原稿検出器Ｓ１のみで原稿の存在が検出される前述の図３に示したような状態であると制御部４１は判断する。この場合、制御部４１は画像メモリ４０の容量の内の比較的小さい部分を読込データ用の領域として確保する（ステップＳ２０）。また同時に制御部４１は他の処理、具体的には通信回線経由で外部から送られてくる画像データの受信等のような画像メモリ４０を使用する必要がある処理のために必要な容量を確保してそのような処理を同時処理可能に設定する（ステップＳ２１）。
【０１１１】
以上のステップＳ１９又はＳ２１の処理が行なわれた後、制御部４１は昇降モータ３３を制御することにより原稿トレイ２２の上昇を開始させる（ステップＳ２２）と共に、呼込ローラ位置検出器Ｓ２の検知状態を判断する（ステップＳ２３）。当初は呼込ローラ位置検出器Ｓ２の検知状態は（オフ）であるが（ステップＳ２３でＮＯ）、やがて原稿トレイ２２上に収容されている原稿束の最上層が呼込ローラＲ１を押し上げる位置にまで原稿トレイ２２が上昇すると、そのことが呼込ローラ位置検出器Ｓ２によって検知（オン）される（ステップＳ２３でＹＥＳ）。この時点で制御部４１は昇降モータ３３を停止する制御を行なって原稿トレイ２２の上昇を停止させ（ステップＳ２４）、一旦待機状態になる。その後、たとえば操作部４６のスタートキーＫ５が押圧操作される等により発生するスタート信号に従って、制御部４１は原稿の給送及び搬送を開始し、原稿画像の読取を行なう（ステップＳ２５）。
【０１１２】
従って、この図１０及び図１１のフローチャートに示されている処理では、下部原稿検出器Ｓ１及び上部原稿検出器Ｓ１′双方の原稿の検知状態、即ちそれぞれが原稿トレイ２２上に原稿がセットされていることを検知したか否かに基づいて、原稿が正常にセットされていない状態、比較的多量の原稿がセットされている状態、及び比較的少量の原稿がセットされている状態を制御部４１が判断することが可能になる。
【０１１３】
そして制御部４１は、原稿が正常にセットされていない状態であると判断した場合には警報を発し、比較的多量の原稿がセットされている状態であると判断した場合には画像メモリ４０の容量の内の比較的大容量を読込データ用として予め確保し、逆に比較的少量の原稿がセットされている状態であると判断した場合には画像メモリ４０の容量の内の比較的小容量を読込データ用として予め確保するという準備を行なうことができる。
【０１１４】
なお、画像メモリ４０容量に関して簡単に説明しておく。たとえば１枚のＡ４版原稿の画像データは未圧縮である場合は約４ＭＢのデータ量となる。従って、２００枚のＡ３原稿を読み取ってそれらの画像データを全て記憶させるためには画像メモリ４０には約１．６ＧＢの容量が必要になる。そこで、画像メモリ４０の容量が１．６ＧＢであるとすると、原稿がステップＳ１７において比較的少量である１００枚以下しか原稿トレイ２２にセットされていないと制御部４１が判断し、しかも第１，大に原稿サイズ検出器Ｓ０，Ｓ７により原稿サイズがＡ４版であると判定された場合、それらの原稿の画像データを画像メモリ４０に記憶させるためには約４００ＭＢの容量が必要になる。従って、この場合にはたとえば５１２ＭＢの容量を読込データ用の容量として画像メモリ４０内で確保すればよいことになる。そして、画像メモリ４０の残りの容量は、上述した如く、通信回線経由で外部から送られてくる画像データの受信等のような処理に必要な容量として割り当てることにより、同時処理可能になる。
【０１１５】
次に、本発明のシート給送装置を組み込んだ上述のようなデジタル複合機１００の動作の他の例について、制御部４１による処理手順を示す図１２及び図１３のフローチャートを参照して説明する。なお、図１２及び図１３のフローチャートにおいて、ステップＳ３１乃至Ｓ３７は図１０及び図１１のステップＳ１１乃至１７それぞれと全く同一の処理であるので、それらの説明は省略し、図１０及び図１１のフローチャートのステップＳ１４での判断結果が「ＹＥＳ」であった場合に図１２及び図１３のフローチャートにおいて対応するステップＳ３４での判断結果が「ＹＥＳ」であった場合以降について説明する。
【０１１６】
ステップＳ３４での判断結果が「ＹＥＳ」であった場合、具体的には下部原稿検出器Ｓ１の検出結果が検知状態（オン）であった場合は、制御部４１は次に上部原稿検出器Ｓ１′の検出結果を判断する（ステップＳ３７）。ここで上部原稿検出器Ｓ１′の検出結果が検知状態（オン）である場合は（ステップＳ３７でＹＥＳ）、上部原稿検出器Ｓ１′及び下部原稿検出器Ｓ１の双方が検知状態（オン）であることから、原稿トレイ２２には比較的多量、具体的には下部原稿検出器Ｓ１のみならず上部原稿検出器Ｓ１′にも原稿の存在が検出される前述の図４に示したような状態であると制御部４１は判断する。この場合、原稿トレイ２２にセットされている原稿の最上層と呼込ローラＲ１との間の距離は比較的小であるので、制御部４１は原稿トレイ２２を通常の上昇速度として設定されている速度で上昇させるように昇降モータ３３の制御状態を設定する（ステップＳ３８）。
【０１１７】
一方，ステップＳ３７での上部原稿検出器Ｓ１′の検出結果が非検知状態（オフ）である場合は（ステップＳ３７でＮＯ）、下部原稿検出器Ｓ１のみが検知状態（オン）であることから、原稿トレイ２２には比較的少量、具体的には下部原稿検出器Ｓ１のみで原稿の存在が検出される前述の図３に示したような状態であると制御部４１は判断する。この場合、原稿トレイ２２にセットされている原稿の最上層と呼込ローラＲ１との間の距離は比較的大であるので、制御部４１は原稿トレイ２２を通常の上昇速度として設定されている速度に比して比較的高速で上昇させるように昇降モータ３３の制御状態を設定する（ステップＳ３９）。
【０１１８】
制御部４１は以上のステップＳ３８又はＳ３９の処理で設定された原稿トレイ２２の上昇速度に従って昇降モータ３３を制御することにより原稿トレイ２２の上昇を開始させる（ステップＳ４０）と共に、呼込ローラ位置検出器Ｓ２の検知状態を判断する（ステップＳ４１）。当初は呼込ローラ位置検出器Ｓ２の検知状態は（オフ）であるが（ステップＳ４１でＮＯ）、やがて原稿トレイ２２上に収容されている原稿束の最上層が呼込ローラＲ１を押し上げる位置にまで原稿トレイ２２が上昇すると、そのことが呼込ローラ位置検出器Ｓ２によって検知（オン）される（ステップＳ４１でＹＥＳ）。この時点で制御部４１は昇降モータ３３を停止する制御を行なって原稿トレイ２２の上昇を停止させ（ステップＳ４２）、一旦待機状態になる。その後、たとえば操作部４６のスタートキーＫ５が押圧操作される等により発生するスタート信号に従って、制御部４１は原稿の給送及び搬送を開始し、原稿画像の読取を行なう（ステップＳ４３）。
【０１１９】
従って、この図１２及び図１３のフローチャートに示されている処理では、下部原稿検出器Ｓ１及び上部原稿検出器Ｓ１′双方の原稿の検知状態、即ちそれぞれが原稿トレイ２２上に原稿がセットされていることを検知したか否かに基づいて、原稿が正常にセットされていない状態、比較的多量の原稿がセットされている状態、及び比較的少量の原稿がセットされている状態を制御部４１が判断することが図１０及び図１１のフローチャートの場合と同様に可能になる。
【０１２０】
そしてこの図１２及び図１３のフローチャートに示されている処理では、制御部４１は、原稿が正常にセットされていない状態であると判断した場合には警報を発し、比較的多量の原稿がセットされている状態であると判断した場合には原稿トレイ２２の上昇速度を通常の速度に設定し、逆に比較的少量の原稿がセットされている状態であると判断した場合には原稿トレイ２２の上昇速度を通常の速度よりも比較的高速に設定する。これにより、原稿トレイ２２にセットされている原稿が比較的少量である場合には原稿トレイ２２にセットされている原稿束の最上層と呼込ローラＲ１との間の距離が比較的大であるが、原稿トレイ２２を比較的高速で上昇させることにより、迅速に原稿の給送を開始することが可能になる。
【０１２１】
図１４は上述の図１２及び図１３のフローチャートのステップＳ３８，Ｓ３９での昇降モータ３３の制御状態（モータ回転数の制御状態）を示すグラフである。ステップＳ３８で行なわれる原稿トレイ２２を通常の上昇速度で上昇させる制御に際しては、図１４(b) に示すように、昇降モータ３３は５００ｐｐｓ（毎秒５００パルス）で時刻ｔ１からｔ２までの間定速回転される。なお時刻ｔ１はステップＳ３７において上部原稿検出器Ｓ１′が検知状態（オン）であると制御部４１が判断した時点であり、時刻ｔ２はステップＳ４１において呼込ローラ位置検出器Ｓ２の検知状態が（オン）であると制御部４１が判断した時点である。
【０１２２】
一方、ステップＳ３６で行なわれる原稿トレイ２２を通常よりも高速度で上昇させる制御に際しては、図１４(a) に示すように、昇降モータ３３は５００ｐｐｓで時刻ｔ１において起動した後、１５００ｐｐｓにまで回転数を上昇させて定速回転となり、図１２及び図１３のフローチャートには記載していないが、上部原稿検出器Ｓ１′が検知状態（オン）になった時刻ｔ４から５００ｐｐｓにまで回転数を下降させ始めて５００ｐｐｓで定速回転となり、呼込ローラ位置検出器Ｓ２の検知状態が（オン）であると制御部４１が判断した時刻ｔ６で停止する。
【０１２３】
なお、図１０及び図１１に示したフローチャート及び図１２及び図１３に示したフローチャートはそれぞれ異なる処理として説明したが、両方の処理を平行して実行することも勿論可能であることは言うまでもない。
【０１２４】
以上のように、本発明のシート給送装置によれば、原稿トレイ２２に収容（セット）されているシート状の原稿を検出するセンサのアクチュエータ（接触子）を原稿トレイ２２の上下両側に分割して配置することにより、両アクチュエータＳ１ａ，Ｓ１ａ′の長さをいずれも短くすることができる。また、上側へカールしたシートを上部原稿検出器Ｓ１′のアクチュエータＳ１ａ′で検出することが可能になるため、誤検知が生じる可能性が小さくなる。
【０１２５】
更に本発明のシート給送装置によれば、両原稿検出器Ｓ１，Ｓ１′のアクチュエータＳ１ａ，Ｓ１ａ′それぞれの検出領域が重複しているので、いずれでもシートが検出できなくなる領域が無くなる。また、両原稿検出器Ｓ１，Ｓ１′による検出領域の重複量を充分に大きくすることにより、それぞれの原稿検出器Ｓ１，Ｓ１′の特性のバラツキ等にも影響を受けない安定した検出が可能になる。
【０１２６】
更に本発明のシート給送装置によれば、原稿トレイ２２上のシートの収容量が多くなった場合には、原稿トレイ２２に収容されたシートの最上部の高さが予め定められた一定の高さに維持されるように制御部４１が制御するので、シートの最上部から１枚づつシートを取り出すことが可能になり、安定したシートの給送が可能になる。また、両原稿検出器Ｓ１，Ｓ１′の検出領域内で原稿トレイ２２が昇降されるので、原稿トレイ２２がどのような位置にある場合にも確実にシートの有無を検出することができる。
【０１２７】
更に本発明のシート給送装置によれば、両原稿検出器Ｓ１，Ｓ１′の検出結果を組み合せて判断することにより、原稿トレイ２２に収容されているシートの概略の量を判断することができる。具体的には、上部原稿検出器Ｓ１′がシート有りと検出し、下部原稿検出器Ｓ１がシート無しと検出した場合にはシートの収容量が少ないと判断される。両原稿検出器Ｓ１，Ｓ１′それぞれがシート有りと検出している場合はシートの収容量が多いと判断される。両原稿検出器Ｓ１，Ｓ１′が共にシート無しと検出している場合はシートが収容されていないと判断される。更に、下部原稿検出器Ｓ１のみがシート有りと検出している場合は、原稿トレイ２２が上部に位置していてシートの収容量が少ないと判断される。上部原稿検出器Ｓ１′のみがシート有りと検出している場合は原稿トレイ２２が下方に位置していてシートの収容量が少ないと判断される。
【０１２８】
更に本発明のシート給送装置によれば、原稿トレイ２２が最大容量を収容可能な下限位置に位置しているにも拘わらずシートの収容量が少ないと判断された場合には、原稿トレイ２２を昇降させる昇降モータ３３を高速回転させる等の制御を制御部４１が行なうことにより、原稿トレイ２２からシートを取り出すことが可能な位置まで原稿トレイ２２が迅速に上昇する。
【０１２９】
また、本発明の画像読取装置によれば、上述したシート給送装置の各発明が有する効果を有する画像読取装置が実現される。
【０１３０】
また本発明の画像形成装置によれば、上述したシート給送装置の各発明が有する効果を有する画像読取装置が実現する。
【０１３１】
更に本発明の画像形成装置によれば、上述した画像読取装置の発明が有する効果を有する画像形成装置が実現される。
【０１３２】
更に本発明の画像形成装置によれば、たとえば原稿トレイ２２に収容されたシートの量が少ない場合には読み取った画像データを記憶させるための画像メモリ４０の容量も少なくて済むので、画像メモリ４０の余分の容量を他の処理に割当てることにより、画像読取装置による画像読取処理に並行して他の処理、たとえば周辺機器から入力された画像データに基づいた画像形成を行なうことができ、効率的な処理が可能になる。
【図面の簡単な説明】
【０１３３】
【図１】本発明に係るシート給送装置を組み込んだＡＤＦ（自動原稿搬送装置）を備えた画像読取装置の全体の概略構成の一実施の形態を示す縦断面図である。
【図２】下部原稿検出器及び上部原稿検出器、原稿トレイが下限位置（基準位置）にあることを検出するための原稿トレイ下限位置検出器の配置状況及び検出範囲を説明するための模式図である。
【図３】下部原稿検出器及び上部原稿検出器、原稿トレイが下限位置（基準位置）にあることを検出するための原稿トレイ下限位置検出器の動作状態を説明するための模式図である。
【図４】下部原稿検出器及び上部原稿検出器、原稿トレイが下限位置（基準位置）にあることを検出するための原稿トレイ下限位置検出器の動作状態を説明するための模式図である。
【図５】下部原稿検出器及び上部原稿検出器、原稿トレイが下限位置（基準位置）にあることを検出するための原稿トレイ下限位置検出器の動作状態を説明するための模式図である。
【図６】下部原稿検出器のアクチュエータ、上部原稿検出器のアクチュエータ、両アクチュエータ間の距離、及び原稿トレイにセットされる原稿束の厚み（高さ）の関係の一例を示す図である。
【図７】図１に機械的構成を示した本発明の一実施の形態の画像読取装置の機能的構成を示すブロック図である。
【図８】本発明の画像読取装置の操作部の一構成例を示す模式図である。
【図９】本発明の画像読取装置により原稿の画像を読み取って画像形成を行なう画像形成としてのデジタル複合機の概略構成を示す縦断面図である。
【図１０】本発明のシート給送装置を組み込んだデジタル複合機の動作の一例の処理手順を示すフローチャートである。
【図１１】本発明のシート給送装置を組み込んだデジタル複合機の動作の一例の処理手順を示すフローチャートである。
【図１２】本発明のシート給送装置を組み込んだデジタル複合機の動作の一例の処理手順を示すフローチャートである。
【図１３】本発明のシート給送装置を組み込んだデジタル複合機の動作の一例の処理手順を示すフローチャートである。
【図１４】図１２及び図１３のフローチャートにおける昇降モータの制御状態（モータ回転数の制御状態）を示すグラフである。
【図１５】従来技術の説明図である。
【図１６】従来技術の説明図である。
【符号の説明】
【０１３４】
１    画像読取装置
２    光学系
３    ＡＤＦ（自動原稿搬送装置:Automatic Document Feeder) 
１１  ＣＣＤ読取ユニット
１２  原稿台
２１  ＣＩＳ（密着イメージセンサ: Contact Image Sensor）
２２  原稿トレイ
２３  湾曲搬送経路
２４  レジスト・斜行補正領域
３３  昇降モータ
４０  画像メモリ
４１  制御部
１００  デジタル複合機
１１０  読取部（画像読取装置）
２１０  画像形成部
Ｒ１  呼込ローラ
Ｓ    原稿
ＳＢ  原稿束
Ｓ１  下部原稿検出器
Ｓ１ａ  下部原稿検出器のアクチュエータ（接触子）
Ｓ１′  上部原稿検出器
Ｓ１ａ′  上部原稿検出器のアクチュエータ（接触子）
Ｓ２  呼込ローラ位置検出器
Ｓ８  原稿トレイ下限位置検出器
【図１】
2005060068.tif 000003
【図２】
2005060068.tif 000004
【図３】
2005060068.tif 000005
【図４】
2005060068.tif 000006
【図５】
2005060068.tif 000007
【図６】
2005060068.tif 000008
【図７】
2005060068.tif 000009
【図８】
2005060068.tif 000010
【図９】
2005060068.tif 000011
【図１０】
2005060068.tif 000012
【図１１】
2005060068.tif 000013
【図１２】
2005060068.tif 000014
【図１３】
2005060068.tif 000015
【図１４】
2005060068.tif 000016
【図１５】
2005060068.tif 000017
【図１６】
2005060068.tif 000018